(57)【要約】【解決手段】複数の協調マルチポイント方式を用いて、所属する複数の転送ポイントに接続してデータを伝送する基地局装置であって、前記転送ポイントに設けられ、端末とデータを送受信する送受信部と、前記送受信部が前記端末から受信したデータから、非周期的フィードバック情報及び周期的フィードバック情報を抽出するデータ処理部と、前記非周期的フィードバック情報に基づいて、前記端末に適用する協調マルチポイント方式を前記複数の協調マルチポイント方式から選択する協調マルチポイント方式選択部と、前記非周期的フィードバック情報及び周期的フィードバック情報に基づいて、前記選択された協調マルチポイント方式を用いてスケジューリングし、該当する送受信部を介して前記端末にデータを伝送するスケジューリング部と、を備える。【選択図】図１
2015516120.tif 000002
【特許請求の範囲】
【請求項１】
複数の協調マルチポイント方式を用いて、所属する複数の転送ポイントに接続してデータを伝送する基地局装置であって、
前記転送ポイントに設けられ、端末とデータを送受信する送受信部と、
前記送受信部が前記端末から受信したデータから、非周期的フィードバック情報及び周期的フィードバック情報を抽出するデータ処理部と、
前記端末から前記非周期的フィードバック情報を受信すると、前記非周期的フィードバック情報から端末のチャネル状態情報及び負荷状態情報を抽出し、前記抽出されたチャネル状態情報及び前記抽出された負荷状態情報に基づいて、前記複数の協調マルチポイント方式の各々の重み付けスケジューリングパラメータを計算し、計算された重み付けスケジューリングパラメータに基づいて、前記端末に適用する協調マルチポイント方式を前記複数の協調マルチポイント方式から選択する協調マルチポイント方式選択部と、
前記非周期的フィードバック情報及び前記周期的フィードバック情報に基づいて、前記選択された協調マルチポイント方式を用いてスケジューリングし、該当する送受信部を介して前記端末にデータを伝送するスケジューリング部と、を備えることを特徴とする基地局装置。
【請求項２】
請求項１に記載の基地局装置であって、
チャネル状態情報記憶テーブルと負荷状態情報記憶テーブルとを記憶する記憶部を更に備え、
前記チャネル状態情報記憶テーブルは、前記非周期的フィードバック情報及び前記周期的フィードバック情報から抽出された各端末のチャネル状態を示すチャネル状態情報を格納し、前記チャネル状態情報は、チャネルランク情報とチャネル品質インジケータとプリコーディング行列インジケータとを含み、
前記負荷状態情報記憶テーブルは、前記非周期的フィードバック情報から抽出された各端末の負荷状態を示す負荷状態情報を格納し、前記負荷状態情報は、各端末のサービスモデルインジケータ及び協調マルチポイント方式切換インジケータを含むことを特徴とする基地局装置。
【請求項３】
請求項１に記載の基地局装置であって、
前記周期的フィードバック情報は、複数の転送ポイントが一つの端末に同時にデータを伝送する際のチャネル品質インジケータであるアグリゲート型チャネル品質インジケータ、及び、複数の転送ポイントが一つの端末に同時にデータを伝送する際のプリコーディング行列インジケータであるアグリゲート型プリコーディング行列インジケータの少なくとも一つを含むことを特徴とする基地局装置。
【請求項４】
請求項１又は３に記載の基地局装置であって、
前記非周期的フィードバック情報は、完全干渉仮説におけるチャネル品質インジケータ及び部分干渉仮説におけるチャネル品質インジケータを含むチャネル品質インジケータ集合、及び、複数の転送ポイントが一つの端末に同時にデータを伝送する際のチャネル品質インジケータであるアグリゲート型チャネル品質インジケータの少なくとも一つを含むことを特徴とする基地局装置。
【請求項５】
請求項２に記載の基地局装置であって、
前記協調マルチポイント方式選択部は、
前記非周期的フィードバック情報と各端末のチャネル状態情報及び負荷状態情報とに基づいて、端末がダイナミックポイントセレクション／ブランキング方式を選択する際の重み付けスケジューリングパラメータ、及び端末がジョイントトランスミッション方式を選択する際の重み付けスケジューリングパラメータの少なくとも一つを計算し、
各端末の前記チャネル状態情報及び前記負荷状態情報に基づいて、複数の協調マルチポイント方式の候補を取得し、
前記複数の協調マルチポイント方式の候補に集中型スケジューリング／ビームフォーミング方式がある場合、端末が集中型スケジューリング／ビームフォーミング方式を選択する際の重み付けスケジューリングパラメータを計算し、
各協調マルチポイント方式の候補の重み付けスケジューリングパラメータの和をそれぞれ計算し、前記重み付けスケジューリングパラメータの和に基づいて、複数の協調マルチポイント方式の候補から、前記端末に適用する協調マルチポイント方式を選択することを特徴とする基地局装置。
【請求項６】
基地局による端末へのデータ伝送方法であって、
送受信部を介して端末からの非周期的フィードバック情報を受信する非周期的フィードバック情報受信ステップと、
前記端末から前記非周期的フィードバック情報を受信すると、前記非周期的フィードバック情報から端末のチャネル状態情報及び負荷状態情報を抽出し、前記抽出されたチャネル状態情報及び前記抽出された負荷状態情報に基づいて、前記複数の協調マルチポイント方式の各々の重み付けスケジューリングパラメータを計算し、計算された重み付けスケジューリングパラメータに基づいて、前記端末に適用する協調マルチポイント方式を前記複数の協調マルチポイント方式から選択する協調マルチポイント方式選択ステップと、
端末からの周期的フィードバック情報を受信する周期的フィードバック情報受信ステップと、
前記非周期的フィードバック情報及び前記周期的フィードバック情報に基づいて、前記選択された協調マルチポイント方式を用いてスケジューリングを割り当て、該当する送受信部を介して前記端末にデータを伝送するスケジューリングステップと、
を含むことを特徴とするデータ伝送方法。
【請求項７】
請求項６に記載のデータ伝送方法であって、
前記端末に適用する協調マルチポイント方式を選択した後に、選択された協調マルチポイント方式及び対応する周期的フィードバック情報の構成を前記端末に送信することを特徴とするデータ伝送方法。
【請求項８】
請求項６に記載のデータ伝送方法であって、
前記基地局は、記憶チャネル状態情報記憶テーブルと負荷状態情報記憶テーブルとを更に記憶しており、
前記チャネル状態情報記憶テーブルは、前記非周期的フィードバック情報及び前記周期的フィードバック情報から抽出された各端末のチャネル状態を示すチャネル状態情報を格納し、前記チャネル状態情報は、チャネルランク情報とチャネル品質インジケータとプリコーディング行列インジケータとを含み、
前記負荷状態情報記憶テーブルは、前記非周期的フィードバック情報から抽出された各端末の負荷状態を示す負荷状態情報を格納し、前記負荷状態情報は、各端末のサービスモデルインジケータ及び協調マルチポイント方式切換インジケータを含むことを特徴とするデータ伝送方法。
【請求項９】
請求項８に記載のデータ伝送方法であって、
協調マルチポイント方式選択ステップでは、
前記非周期的フィードバック情報と各端末のチャネル状態情報及び負荷状態情報とに基づいて、端末がダイナミックポイントセレクション／ブランキング方式を選択する際の重み付けスケジューリングパラメータ、及び端末がジョイントトランスミッション方式を選択する際の重み付けスケジューリングパラメータの少なくとも一つを計算し、
各端末の前記チャネル状態情報及び前記負荷状態情報に基づいて、複数の協調マルチポイント方式の候補を取得し、
前記複数の協調マルチポイント方式の候補に集中型スケジューリング／ビームフォーミング方式がある場合、端末が集中型スケジューリング／ビームフォーミング方式を選択する際の重み付けスケジューリングパラメータを計算し、
各協調マルチポイント方式の候補の重み付けスケジューリングパラメータの和をそれぞれ計算し、前記重み付けスケジューリングパラメータの和に基づいて、複数の協調マルチポイント方式の候補から、前記端末に適用する協調マルチポイント方式を選択することを特徴とするデータ伝送方法。
【請求項１０】
請求項６に記載のデータ伝送方法であって、
前記周期的フィードバック情報は、複数の転送ポイントが一つの端末に同時にデータを伝送する際のチャネル品質インジケータであるアグリゲート型チャネル品質インジケータ、及び、複数の転送ポイントが一つの端末に同時にデータを伝送する際のプリコーディング行列インジケータであるアグリゲート型プリコーディング行列インジケータの少なくとも一つを含むことを特徴とするデータ伝送方法。
【請求項１１】
請求項６又は１０に記載のデータ伝送方法であって、
前記非周期的フィードバック情報は、完全干渉仮説におけるチャネル品質インジケータ及び部分干渉仮説におけるチャネル品質インジケータを含むチャネル品質インジケータ集合、及び、複数の転送ポイントが一つの端末に同時にデータを伝送する際のチャネル品質インジケータであるアグリゲート型チャネル品質インジケータの少なくとも一つを含むことを特徴とするデータ伝送方法。
【請求項１２】
端末に接続する複数の基地局に接続する中央制御サーバであって、
基地局から取得した端末からの非周期的フィードバック情報に基づいて、端末のチャネル状態情報及び負荷状態情報を抽出し、前記抽出されたチャネル状態情報及び前記抽出された負荷状態情報に基づいて、複数の協調マルチポイント方式それぞれの重み付けスケジューリングパラメータを計算し、計算された重み付けスケジューリングパラメータに基づいて、前記端末に適用する協調マルチポイント方式を前記複数の協調マルチポイント方式から選択する協調マルチポイント方式選択部と、
前記非周期的フィードバック情報と基地局から取得した端末からの周期的フィードバック情報とに基づいて、前記選択された協調マルチポイント方式を用いてスケジューリングを割り当て、前記端末にデータを伝送するように該当する基地局に通知するスケジューリング部と、を備えることを特徴とする中央制御サーバ。
【請求項１３】
請求項１２に記載の中央制御サーバであって、
記憶チャネル状態情報記憶テーブルと負荷状態情報記憶テーブルとを更に記憶しており、
前記チャネル状態情報記憶テーブルは、各端末のチャネル状態を示すチャネル状態情報を格納し、前記チャネル状態情報は、チャネルランク情報とチャネル品質インジケータとプリコーディング行列インジケータとを含み、
前記負荷状態情報記憶テーブルは、各端末の負荷状態を示す負荷状態情報を格納し、前記負荷状態情報は、各端末のサービスモデルインジケータと協調マルチポイント方式切換インジケータとを含むことを特徴とする中央制御サーバ。
【請求項１４】
請求項１３に記載の中央制御サーバであって、
前記協調マルチポイント方式選択部は、
前記非周期的フィードバック情報と各端末のチャネル状態情報及び負荷状態情報とに基づいて、端末がダイナミックポイントセレクション／ブランキング方式を選択する際の重み付けスケジューリングパラメータ、及び端末がジョイントトランスミッション方式を選択する際の重み付けスケジューリングパラメータの少なくとも一つを計算し、
各端末の前記チャネル状態情報及び前記負荷状態情報に基づいて、複数の協調マルチポイント方式の候補を取得し、
前記複数の協調マルチポイント方式の候補に集中型スケジューリング／ビームフォーミング方式がある場合、端末が集中型スケジューリング／ビームフォーミング方式を選択する際の重み付けスケジューリングパラメータを計算し、
各協調マルチポイント方式の候補の重み付けスケジューリングパラメータの和をそれぞれ計算し、前記重み付けスケジューリングパラメータの和に基づいて、複数の協調マルチポイント方式の候補から、前記端末に適用する協調マルチポイント方式を選択することを特徴とする中央制御サーバ。
【請求項１５】
請求項１２に記載の中央制御サーバであって、
前記周期的フィードバック情報は、複数の転送ポイントが一つの端末に同時にデータを伝送する際のチャネル品質インジケータであるアグリゲート型チャネル品質インジケータ、及び、複数の転送ポイントが一つの端末に同時にデータを伝送する際のプリコーディング行列インジケータであるアグリゲート型プリコーディング行列インジケータの少なくとも一つを含むことを特徴とする中央制御サーバ。
【請求項１６】
請求項１２又は１５に記載の中央制御サーバであって、
前記非周期的フィードバック情報は、完全干渉仮説におけるチャネル品質インジケータ及び部分干渉仮説におけるチャネル品質インジケータを含むチャネル品質インジケータ集合、及び、複数の転送ポイントが一つの端末に同時にデータを伝送する際のチャネル品質インジケータであるアグリゲート型チャネル品質インジケータの少なくとも一つを含むことを特徴とする中央制御サーバ。
【発明の詳細な説明】
【技術分野】
【０００１】
本発明は、無線通信設備である基地局による端末へのデータ伝送方法、基地局装置、及び中央制御サーバに関し、特に、複数の協調マルチポイント方式から協調マルチポイント方式を適宜選択して下りデータを伝送する基地局による端末へのデータ伝送方法、基地局装置、及び中央制御サーバに関する。
【背景技術】
【０００２】
協調マルチポイント（Ｃｏｏｒｄｉｎａｔｅｄ  Ｍｕｌｔｉ−Ｐｏｉｎｔ、「ＣｏＭＰ」という）は、セルラーネットワークにおいて高速データサービスのカバレッジエリアを拡充し、セルエッジのスループットとシステム平均スループットとを向上させる非常に良い方式だと考えられる。
【０００３】
説明の便宜のため、以下、ユーザ端末を「ＵＥ」と表記し、転送ポイントを「ＴＰ」と表記し、基地局を「ＢＳ」と表記する。「上り」方向とはＵＥからＴＰ（又はＢＳ）への方向をいい、「下り」方向とはＴＰ（又はＢＳ）からＵＥへの方向をいう。
【０００４】
以下、図９を参照しながら従来のＣｏＭＰ技術を説明する。
【０００５】
図９は、簡略化したセルラーネットワークにおける従来のＣｏＭＰ技術を示す典型的な利用場面を示す図である。図９では、転送ポイント９０１（以下、「ＴＰ１」と表記する）と、転送ポイント９０２（以下、「ＴＰ２」と表記する）とは、それぞれ単独で、この転送ポイントが形成するセルである一つの無線カバレッジエリアを完成させている。ＴＰ１とＴＰ２とはいずれも、光ファイバー９０６を介して所属する基地局９０５に接続されており、光ファイバー９０６をデータインタフェースとしてベースバンドデータの交換を基地局９０５と行っている。対応するセル内に分散するＵＥ１はＴＰ１−ＵＥ１リンク９１１を、ＵＥ２はＴＰ２−ＵＥ２リンク９１２を確立することによって、無線アクセス及びデータ伝送機能を実現している。或る特殊な状況では、ＵＥが二つのセルの境界に位置する可能性があり、例えば図９におけるＵＥ１は、ＴＰ１を介してネットワークにアクセスするが、ＴＰ２がカバーするセルに非常に近い。システムが使用する周波数が隣接するセルと同じであり、かつ、ＴＰ１がＴＰ１−ＵＥ１リンク９１１を介してＵＥ１にデータを伝送しながらＴＰ２がＵＥ２にデータを伝送する場合、形成されるＴＰ２−ＵＥ１干渉リンク９１３がＴＰ１−ＵＥ１リンク９１１と衝突して、ＵＥ１が検出した無線リンクの質が低下する。セルエッジにおけるＵＥの信号の質が悪くなるという問題を解決するためにＣｏＭＰ技術が提案された。
【０００６】
ＣｏＭＰ技術の利用に関して、３ＧＰＰ（３ｒｄ  Ｇｅｎｅｒａｔｉｏｎ  Ｐａｒｔｎｅｒｓｈｉｐ  Ｐｒｏｊｅｃｔ、第３世代（３Ｇ）移動体通信システムの標準化プロジェクト）は、現在、広く意見を求めている。提案の内容によると、採用可能なＣｏＭＰ技術は次の三つに決定されている。それぞれ、（１）集中型スケジューリング／ビームフォーミング、ＣＳ／ＣＢと、（２）ダイナミックポイントセレクション／ブランキング、ＤＰＳ／ＤＰＢと、（３）ジョイントトランスミッション、ＪＴとに区分される。この三つのＣｏＭＰ技術は、いずれも、ＴＰ間でデータと制御信号とのインタラクションを自由かつ高速に行うことができることを求めており、ＵＥに対する物理信号伝送方式において多少違いがある。
【０００７】
以下、図１０〜図１２を参照しながら、従来の三つのＣｏＭＰ技術を説明する。図１０は、従来のＣＳ／ＣＢ技術の典型的な場面における利用例を示す図である。図１１は、従来のＤＰＳ／ＤＰＢ技術の典型的な場面における利用例を示す図である。図１２は、従来のＪＴ技術の典型的な場面における利用例を示す図である。図９と同じ構成については同じ符号を付し、その説明を省略する。
【０００８】
ＣＳ／ＣＢ技術は、集中型のスケジューリングモジュールによって、場面におけるＴＰ１及びＴＰ２のカバレッジエリア内のＵＥを集中的にスケジューリングしており、ＭＩＭＯ技術におけるビームフォーミング技術によって、カバレッジエリア内で伝送する際の、他のＴＰのカバレッジエリア内でスケジューリングされたＵＥに対する干渉を最小化する。図１０に示すように、ＣＳ／ＣＢ技術を用いると、ＴＰ１とＴＰ２とは、自己のカバレッジエリア内のＵＥに対するスケジューリング情報を分け合うようになる。ＴＰ２は、ビームフォーミングの前処理を適宜導入して、ＴＰ２対ＵＥ１の干渉リンク９１３を伝送する信号エネルギーが除去されるか、又は最小化されるようにし、それによって、ＴＰ１−ＵＥ１リンク９０６の信号対干渉雑音比（ＳＩＮＲ）を向上させる。
【０００９】
ＤＰＳ／ＤＰＢ技術は、同一ＵＥとそれぞれのＴＰとの間のリンク品質状況についてリアルタイムで収集及び比較をすることによって、このＵＥについて、信号対干渉雑音比の最も高い物理リンクを選択してデータを伝送する。図１１に示すように、ＤＰＳ技術を用いると、ＵＥ１は、ＴＰ１−ＵＥ１リンク９１１と、ＴＰ２−ＵＥ１リンク１１０１とから、質の最も良いリンクをデータ伝送リンクとして柔軟に選択することができる。ＴＰ２−ＵＥ１リンク１１０１がユーザ端末ＵＥ１のデータ伝送リンクとして選択されると、本来スケジューリングされるはずのＴＰ２セル内のユーザ端末ＵＥ２は、スケジューリングできなくなる。これと同時に、ＴＰ１が自分のエリア内の他のＵＥ、例えばＵＥ１１０３（以下、「ＵＥ３」という）をスケジューリングしたとすると、このとき、ＴＰ１はＵＥ１の干渉源となる。ユーザ端末ＵＥ１の信号の質を更に向上させるために、このとき、いかなるＵＥ（例えばＵＥ３）もＴＰ１にスケジューリングさせないようにして、すなわち、ＴＰ１にサイレント処理をして、ＵＥ１のデータチャネルの質を更に向上させることができる。
【００１０】
ＪＴ技術は、ＴＰ１とＴＰ２とにＵＥ１の伝送データを分けることによって同時に送信する。図１２に示すように、ＪＴ技術を用いると、干渉リンクを、有用な信号を伝送するＴＰ２−ＵＥ１リンク１１０１に転換することができる。このとき、ＵＥ１は、ＴＰ１及びＴＰ２からの信号を同時に受信し、効果的な合成によってリンクの質を大幅に引き上げることができるので、自身のデータスループットが効果的に向上する。
【００１１】
使用される物理信号伝送方式が異なるので、この三つの技術にはそれぞれ利点と欠点がある。
【００１２】
ＣＳ／ＣＢ技術は、干渉除去方法によってＵＥチャネルの質向上を図る。最適化されたプリコーディング処理により、それぞれのセルがそれぞれのＵＥに同時にサービスをすることができ、空間多重効率が低下しないことが利点である。しかし、これと同時に、干渉除去機能を兼ねるプリコーディング処理は有効信号の強度を低下するおそれがあり、しかも、この技術は従来のプリコーディングコードブックの精度の影響を大きく受ける。
【００１３】
ＤＰＳ／ＤＰＢ技術は、まず、ネットワーク側のスケジューリングの柔軟性を増加させる方法によってシステム性能を向上させながら、ＴＰのサイレント処理によって、セルエッジにおけるＵＥの信号の質を増加する。このような方法は、ＣｏＭＰ技術において最も柔軟で簡便な方式であり、従来のシステムに対する変更要求も最も少ない。欠点は、ＴＰブランキングを組み合わせない場合にセルエッジにおけるＵＥの信号の質を真に有効に向上することはできず、一方で、ＴＰブランキングを導入すると、空間多重効率を低下するおそれがあり、また、複数の異なる干渉信号の組合せを導入すると、ＵＥ端末のチャネル品質評価が複雑になることである。
【００１４】
ＪＴ技術は、隣接ＴＰの協調伝送によって、有効信号の強度を増加し干渉信号の強度を低下する目的を同時に達成している。この上で、ＵＥは三つの方式のうち最も良いチャネルの質を得ることができる。欠点は、空間多重効率を低下させ、ネットワークの同期性に対するＪＴ方式の要求が高く、現行の標準規格ではいくつかの場面については信頼可能な合成利得を得難いことである。
【００１５】
以上述べたところをまとめると、従来のネットワークでは、単一のＣｏＭＰ技術のみをサポートすると、種々の複雑な場面においてシステム性能及びセルエッジ領域ＵＥ性能の向上の真の実現は難しい。したがって、従来のシステムに新しい機能モジュールを導入して、最適化した集中的なフィードバック設計によって複数のＣｏＭＰ技術の使用及び切り換えを同時にサポートする必要がある。
【００１６】
３ＧＰＰ  ＴＳ３６．２１３には、従来のＬＴＥシステムのフィードバック体系が記載されている。ＬＴＥシステムのフィードバックは、物理上り制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）による周期的フィードバックと、物理上り共用チャネル（Ｐｈｙｓｉｃａｌ  Ｕｐｌｉｎｋ  Ｓｈａｒｅｄ  Ｃｈａｎｎｅｌ、ＰＵＳＣＨ）による非周期的フィードバックとにより構成される。それぞれのフィードバック情報は、ランク情報（Ｒａｎｋ  Ｉｎｄｉｃａｔｏｒ、ＲＩ）、又は周波数領域サイズの異なる（ワイドバンド又はナローバンド）チャネル品質インジケータ（Ｃｈａｎｎｅｌ  Ｑｕａｌｉｔｙ  Ｉｎｄｉｃａｔｏｒ、ＣＱＩ）及びプリコーディング行列インジケータ（Ｐｒｅｃｏｄｉｎｇ  Ｍａｔｒｉｘ  Ｉｎｄｉｃａｔｏｒ）から構成される。キャリアアグリゲーションの条件において、それぞれのセルのチャネル状態情報（Ｃｈａｎｎｅｌ  Ｓｔａｔｅ  Ｉｎｆｏｒｍａｔｉｏｎ、ＣＳＩ）は、時分割多重化方式によって、時間領域において多重化された複数のＰＵＣＣＨにより伝送することができ、ＲＲＣ層の信号構成によって、一つのＰＵＳＣＨを通じて複数のセルのＣＳＩを伝送することもできる。しかし、このような現存のメカニズムでは、複数のセルのＣＳＩ伝送をサポートすることはできるが、基地局間の協調の具体的な方法を考慮しておらず、したがって、まず、対応するシグナリングサポートに欠け、次に、具体的なＣｏＭＰ方式については行われ得る最適化に欠けており、伝送効率が低くなっている。
【００１７】
３ＧＰＰ  ＷＧ１  Ｒ１−１２０９８２では、単一リソースフィードバック（ｐｅｒ−ｒｅｓｏｕｒｃｅ  ｆｅｅｄｂａｃｋ）と、マルチリソースフィードバック（ｍｕｌｔｉ−ｒｅｓｏｕｒｃｅ  ｆｅｅｄｂａｃｋ）との二つのフィードバック方式が定義されている。ＰＵＳＣＨによる非周期的フィードバックは、二つの方式を同時にサポートすることができるが、時分割多重化されたＰＵＣＣＨによる周期的フィードバックは、単一リソースフィードバックを比較的良くサポートすることしかできず、容量がマルチリソースフィードバックに十分にサポートすることができないという制限を受ける。時分割多重化を同時に採用したＰＵＣＣＨフィードバック方法は、比較的大きなフィードバック遅延を導入し、これはＣｏＭＰの実現、特にＪＴ  ＣｏＭＰ方式にとって、非常に不利な影響をもたらす。
【００１８】
３ＧＰＰ  ＷＧ１  Ｒ１−１２１０９０では、新しいフィードバック情報モデルフォーマットを定義して、ＣＳＩ−ＲＳリソース間の位相差、又は複数のＣＳＩ−ＲＳリソースに基づいて生成されるアグリゲート型ＣＱＩのようなＪＴモデルにおけるＣＳＩ−ＲＳリソース間の関連情報の伝送をサポートすることが提案されている。更に、複数のＣＳＩを時分割多重化方式によってＰＵＣＣＨを用いて伝送する他、複数のＣＳＩを同じＰＵＣＣＨに結合して伝送し、それによって時間領域遅延の影響を低減させることができることが提案されている。ＣＱＩフィードバックとＰＭＩフィードバックとが同時に存在する場合、このような結合は大きなデータ容量を必要とするおそれがあり、しかも、このような容量はＰＵＣＣＨの容量制限を超えるおそれがあることが、この方法の問題である。事実、遅延センシティブなＣｏＭＰ方式について、特にＪＴ  ＣｏＭＰについては、フィードバックにおいてアグリゲート型ＣＳＩフィードバック（Ａｇｇｒｅｇａｔｅｄ  ＣＳＩ  ｆｅｅｄｂａｃｋ）をサポートすることによって、遅延及び容量の問題を解決することができる。
【００１９】
要するに、ＪＴ  ＣｏＭＰについては、アグリゲート型ＣＳＩフィードバックを周期的フィードバックに導入する方法によって、時分割多重化による伝送遅延問題と、極めて大きいオーバーヘッド問題とを同時に解決することができる。したがって、フィードバック方式の全体的な設計をする際には、アグリゲート型ＣＳＩフィードバック方法をフレームに導入し、対応するモジュールをネットワークに追加することによって、ＰＵＣＣＨを用いて実現する際の種々のＣｏＭＰ方式に対するサポートを完成させて、適切な条件のもとでＣｏＭＰ方式を切り換える機能を提供するべきである。
【発明の概要】
【発明が解決しようとする課題】
【００２０】
本発明は、前述した課題を鑑みてなされたものであり、複数のＣｏＭＰ技術の使用及び切り換えを同時にサポートすることができる、基地局による端末へのデータ伝送方法、基地局装置、及び中央制御サーバを提供することを目的とする。
【課題を解決するための手段】
【００２１】
本発明の基地局装置は、複数の協調マルチポイント方式（ＣｏＭＰ）を用いて、所属する複数の転送ポイント（ＴＰ）に接続してデータを伝送する。該基地局装置は、転送ポイント（ＴＰ）に設けられ、端末（ＵＥ）とデータを送受信する送受信部と、前記送受信部が端末から受信したデータから、非周期的フィードバック情報及び周期的フィードバック情報を抽出するデータ処理部と、前記非周期的フィードバック情報に基づいて、前記端末に適用する協調マルチポイント方式を複数の協調マルチポイント方式から選択する協調マルチポイント方式選択部と、前記非周期的フィードバック情報及び前記周期的フィードバック情報に基づいて、前記選択された協調マルチポイント方式を用いてスケジューリングし、該当する送受信部を介して前記端末にデータを伝送するスケジューリング部と、を備えることを特徴とする。
【００２２】
本発明の基地局による端末へのデータ伝送方法は、送受信部を介して端末からの非周期的フィードバック情報を受信する非周期的フィードバック情報受信ステップと、受信された前記非周期的フィードバック情報に基づいて、前記端末に適用する協調マルチポイント方式を複数の協調マルチポイント方式から選択する協調マルチポイント方式選択ステップと、端末からの周期的フィードバック情報を受信する周期的フィードバック情報受信ステップと、前記非周期的フィードバック情報及び前記周期的フィードバック情報に基づいて、前記選択された協調マルチポイント方式を用いてスケジューリングを割り当て、該当する送受信部を介して前記端末にデータを伝送するスケジューリングステップと、を含むことを特徴とする。
【００２３】
本発明の中央制御サーバは、端末に接続される複数の基地局に接続される。該中央制御サーバは、基地局から取得した端末からの非周期的フィードバック情報に基づいて、前記端末に適用する協調マルチポイント方式を複数の協調マルチポイント方式から選択する協調マルチポイント方式選択部と、前記非周期的フィードバック情報と基地局から取得した端末からの周期的フィードバック情報とに基づいて、前記選択された協調マルチポイント方式を用いてスケジューリングを割り当て、前記端末にデータを伝送するように該当する基地局に通知するスケジューリング部と、を備えることを特徴とする。
【００２４】
本発明の基地局、基地局による端末への伝送データ方法、及び中央制御サーバは、ＣｏＭＰ選択部（ステップ）とスケジューリング部（ステップ）とを備えるので、ＵＥがアップロードしたＰＵＳＣＨによるデータに含まれる非周期的フィードバック情報を受信することによって、現在のネットワークの負荷状況と各ＵＥのチャネル状況とに基づいて、適切なＣｏＭＰ方式をネットワークにおける各ＵＥに選択することができる。それとともに、ＵＥからの非周期的フィードバック情報と周期的フィードバック情報とに基づいて、選択された適切なＣｏＭＰ方式を用いてスケジューリングをし、ＵＥに高効率な下りデータ伝送サービスをする。この発明により、スケジューリングの柔軟性が強化されるので、ネットワーク内の無線リソースの利用効率を最大化して、ネットワークの性能が効果的に引き上げられる。
【図面の簡単な説明】
【００２５】
【図１】本発明に係るＣｏＭＰ方式の選択及び伝送をサポートする基地局の典型的な構成を例示する図である。
【図２】本発明に係るＣｏＭＰ方式の選択及び伝送のサポート方法を示すフローを模式的に表す図である。
【図３】本発明に係るＣｏＭＰ方式の選択及び伝送をサポートするＰＵＳＣＨフィードバック情報モデルフォーマットを示すフォーマットを模式的に表す図である。
【図４】本発明に係る負荷状態情報記憶テーブルを示すフォーマットを例示する図である。
【図５】本発明に係るチャネル状態情報記憶テーブルを示すフォーマットを例示する図である。
【図６】本発明に係るＣｏＭＰの選択及びスケジューリングを示すフローを例示する図である。
【図７】本発明に係るアグリゲート型ＣＳＩフィードバックを用いてＪＴ型ＣｏＭＰ伝送をサポートする、ＰＵＣＣＨによる周期的フィードバック情報モデルフォーマットを示すフォーマット模式図である。
【図８】本発明に係る中央制御サーバを用いてＣｏＭＰ方式の選択及び伝送をサポートするシステム構成を示す例示図である。
【図９】簡略化した従来のＣｏＭＰ技術の典型的な利用場面を示す図である。
【図１０】従来のＣＳ／ＣＢ技術の典型的な場面における利用例を示す図である。
【図１１】従来のＤＰＳ／ＤＰＢ技術の典型的な場面における利用例を示す図である。
【図１２】従来のＪＴ技術の典型的な場面における利用例を示す図である。
【発明を実施するための形態】
【００２６】
以下、二つのセルが協調してＣｏＭＰ方式の選択及びデータ伝送を完全に行うプロセスを例として、図面を参照しながら本発明の具体的な実施形態を説明する。従来のセルの概念は、「一つの基地局」、「基地局の一つのセクター」、「一つのフェムトセル」、又は一つの「転送ポイント（ＴＰ）」等のカバリングする範囲とすることができる。説明の便宜のため、ここでは、１つの「ＴＰ」のカバリングする範囲を用いて一つのセルを示す。
【００２７】
＜基地局及び基地局による端末へのデータ伝送方法＞
図１は、本発明に係る複数のＣｏＭＰ方式の使用及び選択をサポートする基地局の構成を模式的に示す図である。図１に示す本発明の実施形態では、ＣｏＭＰ選択・スケジューリングモジュール１１５を基地局に追加することによって、ＣｏＭＰ方式のデータ選択及び伝送機能を実現する。
【００２８】
図１に示すように、一般に外部に置かれ、基地局１００は、光ファイバー等によって基地局１００に接続される複数のＴＰ（ＴＰ１及びＴＰ２）を有しており、各ＴＰは主に無線周波数帯域の処理及び送受信機能を完成させるものであり、それ自体は独立したベースバンド処理機能を持たない。ＴＰ１及びＴＰ２はそれぞれ、データ等を受信する受信アンテナ１０１と、データ等を送信する送信アンテナ１０２と、送受信するデータを処理するＲＦ信号処理モジュール１０３とを有する。
【００２９】
基地局１００は、更に、信号復調・復号化モジュール１０４と、符号化・変調モジュール１０５と、プリコーディングモジュール１０６と、データ・制御信号処理モジュール１０７と、負荷状態情報記憶テーブル１１３と、チャネル状態情報記憶テーブル１１４と、ＣｏＭＰ方式選択・スケジューリングモジュール１１５（協調マルチポイント方式選択部・スケジューリング部）と、システムインタフェース１１６とを有している。なお、データ・制御信号処理モジュール１０７は、下り制御信号生成モジュール１０８と、下りデータ生成モジュール１０９と、ＰＵＳＣＨ情報抽出モジュール１１０と、ＰＵＣＣＨ情報抽出モジュール１１１と、データ抽出モジュール１１２とを有する。
【００３０】
受信アンテナ１０１は、ＵＥからの上りデータ等（説明の便宜のため、ＵＥからの全てのデータ、信号、コマンド等を「データ」と総称する）を受信し、ＲＦ信号処理モジュール１０３へ送信する。ＲＦ信号処理モジュール１０３は、ＵＥからの上りデータに簡単なＲＦ処理をして、得られたベースバンド信号を所属する基地局の信号復調・復号化モジュール１０４へ送信する。また、ＲＦ信号処理モジュール１０３は、ＵＥへ送信すべき下りデータを処理しＲＦ信号を取得して、送信アンテナ１０２へ送信する。送信アンテナ１０２は、このＲＦ信号を対応するＵＥへ送信する。
【００３１】
信号復調・復号化モジュール１０４は、ＲＦ信号処理モジュール１０３からのデータに復調、復号化等の処理をして、データ・制御信号処理モジュール１０７へ出力する。
【００３２】
データ・制御信号処理モジュール１０７は、データ又は制御シグナリングを生成及び受信し、システムインタフェース１１６を通じて上位層又は外部ネットワークとデータ交換をする。ＰＵＳＣＨ情報抽出モジュール１１０は、ＰＵＳＣＨが運ぶデータのうち、それぞれのセルに対する非周期的フィードバック情報を、予め決められたフォーマットに従って分離し、非周期的フィードバック情報を抽出し、非周期的フィードバック情報に含まれる情報（例えば、チャネル状態情報ＣＳＩ）を取得して、ＣｏＭＰ方式選択・スケジューリングモジュール１１５へ送り、チャネル状態情報記憶テーブル１１４と負荷状態情報記憶テーブル１１３とを更新する。ＰＵＣＣＨ情報抽出モジュール１１１は、ＰＵＣＣＨにおいて運ばれるデータのうちの周期的フィードバック情報を、予め決められたフォーマットで分離し、周期的フィードバック情報を抽出し、周期的フィードバック情報に含まれる情報（例えば、チャネル状態情報ＣＳＩ）を取得して、チャネル状態情報記憶テーブル１１４と負荷状態情報記憶テーブル１１３とを更新する。
【００３３】
ＣｏＭＰ方式選択及びスケジューリングモジュール１１５は、ＵＥからの非周期的フィードバック情報に基づいてＣｏＭＰ方式を選択し、また、ＣｏＭＰ方式を選択した後にスケジューリングして、ＵＥへ下りデータを送信する。
【００３４】
データ抽出モジュール１１２は、以後の処理のために、ＵＥからの上りデータを抽出してもよい。下り制御信号生成モジュール１０８と、下りデータ生成モジュール１０９とは、ＣｏＭＰ方式選択・スケジューリングモジュール１１５のＣｏＭＰ方式選択及びスケジューリングの処理結果に基づいて、それぞれ下りデータ（ここにおけるデータはユーザデータのみであり、シグナリング等は含まれない）等を生成して、符号化・変調モジュール１０５へ送信する。符号化・変調モジュール１０５は、受信したデータ等を符号化、変調処理して、プリコーディングモジュール１０６へ送信する。プリコーディングモジュール１０６は、プリコーディング操作をして、ＵＥへ送信すべきベースバンド信号を形成する。
【００３５】
以上、本発明の基地局の構成を説明したが、これは一例にすぎず、本発明の基地局はこれに限定されるものではない。図１に示す基地局に基づいて種々の変更をすることができる。
【００３６】
例えば、負荷状態情報記憶テーブル１１３と、チャネル状態情報記憶テーブル１１４とを記憶する図示しない記憶部を追加してもよく、基地局がＣｏＭＰ方式の選択及びスケジューリングをするために使用する情報をテーブル形式ではなく他の方式で保存してもよい。
【００３７】
また、ＣｏＭＰ方式選択・スケジューリングモジュール１１５をＣｏＭＰ方式選択モジュールと、ＣｏＭＰ方式スケジューリングモジュールとの二つのモジュールに分けて、ＣｏＭＰ方式の選択及びスケジューリングをそれぞれ実現してもよい。
【００３８】
また、ＴＰ、ＵＥの数も図示したものに限定されず、一つでもよく、任意の複数の数でもよい。
【００３９】
言い換えると、図１に示す各モジュールは分けるか、又は組み合わせてもよく、基地局が基本的な機能を実現する次のようなユニットを有していればよい。すなわち、基地局は、ＴＰの送受信部（例えば、受信アンテナ１０１）を介してＵＥからの種々のデータ等を受信し、データ処理部（例えば、ＰＵＳＣＨ情報抽出モジュール１１０、・ＰＵＣＣＨ情報抽出モジュール１１１）を通じて、受信したＵＥからのデータから、非周期的フィードバック情報と、周期的フィードバック情報とを抽出する。ＣｏＭＰ方式選択部（例えば、ＣｏＭＰ方式選択・スケジューリングモジュール１１５）は、非周期的フィードバック情報に基づいて、複数のＣｏＭＰ方式から、このＵＥに適用するＣｏＭＰ方式を選択する。スケジューリング部（例えば、ＣｏＭＰ方式選択・スケジューリングモジュール１１５）は、非周期的フィードバック情報と、周期的フィードバック情報とに基づいて、選択されたＣｏＭＰ方式を用いてスケジューリングし、送受信部（例えば、送信アンテナ１０２）を介してＵＥに下りデータを伝送する。
【００４０】
以下、図２を参照しながら、本発明の実施形態のフローを説明する。
【００４１】
図２は、本発明の実施形態のフローチャートである。図２に示すように、まず、基地局は、受信アンテナ１０１（送受信部）を通じて受信したＵＥからの上りデータから、ＰＵＳＣＨが運ぶ拡張された非周期的フィードバック情報を取得する（ステップＳ２０１）。ＰＵＳＣＨによるこの非周期的フィードバック情報の伝送は、伝送の初期化段階において基地局がＵＥに伝送を指示してもよく、伝送プロセスにおいてＵＥによるデータアップロード申請後に基地局の承認を得て、ＵＥに伝送を指示してもよく、現行の標準におけるその他の可能なＰＵＳＣＨのトリガー方式であってもよい。
【００４２】
次に、基地局は、ＣｏＭＰ方式選択・スケジューリングモジュール１１５を通じて、受信した非周期的フィードバック情報に基づいて、複数のＣｏＭＰ方式から、このＵＥの使用に最も適したＣｏＭＰ方式を選択する（ステップＳ２０２）。
【００４３】
その後、基地局は、シグナリング伝送方式を通じて、選択したＣｏＭＰ方式と、対応する周期的フィードバック情報の構成パラメータとをＵＥに知らせ、その後、選択されたＣｏＭＰ方式を用いて、ＰＵＳＣＨを通じて受信した非周期的フィードバック情報を利用して、ＣｏＭＰ方式選択・スケジューリングモジュール１１５を通じてスケジューリングをし、それによってリソースを割り当て、ＵＥにデータを伝送する（ステップＳ２０３）。
【００４４】
データを伝送するプロセスにおいて、基地局は、送受信部を通じてＵＥからの上りデータを受信し、その中から、ＰＵＣＣＨが運ぶ拡張された周期的フィードバック情報を取得する（ステップＳ２０４）。
【００４５】
基地局は、取得された周期的フィードバック情報に基づいて、それより前に受信した非周期的フィードバック情報、又はチャネル状態情報記憶テーブル６１４と負荷状態情報記憶テーブル６１３とに記憶された必要な情報を組み合わせて、選択されたＣｏＭＰ方式を用いて、リソースを割り当て、ＵＥにデータを伝送する（ステップＳ２０５）。ＰＵＳＣＨ伝送による新しい一つの非周期的フィードバックがトリガーされ、及び受信されるまで、ステップＳ２０４とステップＳ２０５とを繰り返して実行する。
【００４６】
本発明は、ＵＥからのデータ等に基づいて、適切なＣｏＭＰ方式をこのＵＥに選択してスケジューリングをし、このＵＥに下りデータの伝送サービスを提供することによって、スケジューリングの柔軟性を高め、ネットワークにおける無線リソースの利用効率を最大化し、ネットワークの性能を効果的に向上させることができる。
【００４７】
以下、図３を参照し、図１及び図２を組み合わせて、本発明の実施形態のＰＵＳＣＨによる非周期的フィードバック情報を説明する。図３において、Ｍ及びＮは、自然数である。
【００４８】
図１及び図２に示すように、ＴＰの受信アンテナ１０１は、リンク初期化段階又は下りデータ伝送プロセスにおいて、ＵＥから送信されＰＵＳＣＨが運ぶ非周期的フィードバック情報を受信する。
【００４９】
ＴＰの受信アンテナ１０１は、ＰＵＳＣＨが運ぶ非周期的フィードバック情報に含まれるＵＥからのデータを受信すると、ＲＦ処理した後に所属する基地局へ送る。基地局は、受信したデータに復調及び復号化処理をした後に、データ・制御信号処理モジュール１０７へ送り、分離して、非周期的フィードバック情報を含むデータをＰＵＳＣＨ情報抽出モジュール１１０へ送る。ＰＵＳＣＨ情報抽出モジュール１１０では、まず、既知のこのＵＥのＣｏＭＰ測定集合のサイズに基づいて、このＵＥがＣｏＭＰユーザであるか否かを判定する。このユーザがＣｏＭＰユーザであることを確認した後に、基地局は、上位層シグナリング構成に基づいて、予め決められたフィードバック情報モデルフォーマットに従って、ＰＵＳＣＨが運ぶ非周期的フィードバック情報を分解する。
【００５０】
ＣｏＭＰ測定集合サイズがＳである場合には、表１に示すように、ＰＵＳＣＨが運ぶ非周期的フィードバック情報は、Ｓ個のＴＰに対応するＣＳＩにエンドツーエンドでリンクされる。ＣＳＩは、セルｉｎｄｅｘ小さいものから順に配置される。
【００５１】
【表１】
2015516120.tif 000003
【００５２】
各ＴＰに対応するＣＳＩのフォーマットは、ＣｏＭＰに適用するフィードバック情報モデルフォーマットによって決定される。図３は、ＣｏＭＰに適用する非周期的フィードバック情報モデルフォーマットの例を示す。
【００５３】
以下、図３を参照しながら、新たに導入するＰＵＳＣＨによる非周期的フィードバック情報モデルフォーマットに基づくデータフィールドの構成を詳細に説明する。ただし、これらは例にすぎず、本発明はこれらに限定されるものではない。図３に示す非周期的フィードバック情報は一部の情報であり、他の情報は従来技術と同じであるので省略する。ここで、非周期的フィードバック情報に含まれる完全干渉仮説におけるＣＱＩ及び部分干渉仮説におけるＣＱＩを「ＣＱＩ集合」という。
【００５４】
図３（ａ）に示すように、本発明の実施形態では、新たに設けられるＰＵＳＣＨによる非周期的フィードバック情報モデルフォーマット１−３を導入しており、そのフィードバックデータは次のデータフィールド（１）〜（３）により構成される。
【００５５】
（１）完全干渉仮説におけるワイドバンドＣＱＩ３０１：このデータフィールドのビット数は、単独で伝送されるＲＩ値により決定される。単独で伝送されるＲＩ値が１であると、このデータフィールドのビット数は４であり、単独で伝送されるＲＩ値が１より大きいと、このデータフィールドのビット数は８である。また、完全干渉仮説におけるワイドバンドＣＱＩの生成プロセスは、ＵＥがチャネル信号対干渉雑音比を計算する場合に、対象ＴＰの信号を有用な信号として、ＵＥのＣｏＭＰ測定集合外の全てのＴＰ、及びＵＥのＣｏＭＰ測定集合内の対象ＴＰを除く他のＴＰの信号を干渉信号とする。このようなＣＱＩの計算方法は、現行の方法と同じである。
【００５６】
（２）部分干渉仮説におけるワイドバンド差分ＣＱＩ３０２：このデータフィールドの数は、上位層の構成の測定が必要な干渉仮説の総数Ｍにより決定され、各データフィールドのビット数は、単独で伝送されるＲＩ値により決定される。単独で伝送されるＲＩ値が１であると、このデータフィールドのビット数は２であり、単独で伝送されるＲＩ値が１より大きいと、このデータフィールドのビット数は４である。また、部分干渉仮説におけるワイドバンド差分ＣＱＩの生成プロセスは、ＵＥがチャネル信号対干渉雑音比を計算する場合に、対象ＴＰの信号を有用な信号とし、ＵＥのＣｏＭＰ測定集合外の全てのＴＰ、及びＵＥのＣｏＭＰ測定集合内の対象ＴＰを除く一部の他のＴＰの信号を干渉信号として、それによって、ＤＰＢにおいて可能なＴＰのサイレント状況に対応する。このようなＣＱＩは、干渉仮説の違いによって相違がある。しかしながら、部分干渉仮説においてＵＥが測定した干渉信号強度は低く、信号対干渉雑音比は増加し、数値化されたＣＱＩ値も完全仮説干渉におけるＣＱＩ値に対応して多少増加するので、差分ＣＱＩの方法を用いてこれを伝送することができる。
【００５７】
（３）サブバンドＰＭＩ３０３：このデータフィールドの数は周波数サブバンドの数によって決定され、周波数サブバンドの数Ｎはシステムの下りの総帯域幅によって決定される。各データフィールドのビット数は、ＴＰアンテナ数と単独で伝送されるＲＩ値に基づいて決定し、その方法は現行の標準規格と同じである。
【００５８】
図３（ｂ）に示すように、本発明の実施形態では、新たに設けられるＰＵＳＣＨによる非周期的フィードバック情報モデルフォーマット３−３を新たに導入しており、そのフィードバックデータは次のデータフィールド（１）〜（３）により構成される。
【００５９】
（１）完全干渉仮説におけるワイドバンド及びサブバンドＣＱＩの組合せ３０５：このデータフィールドは、ワイドバンドＣＱＩ３０１とＮ個のサブバンド差分ＣＱＩ３０４とによって構成され、後者のデータフィールドの数は周波数サブバンドの数によって決定され、周波数サブバンドの数Ｎはシステムの下りの総帯域幅によって決定される。二つのデータフィールドのビット数はいずれも、単独で伝送されるＲＩ値によって決定される。単独で伝送されるＲＩ値が１であると、ワイドバンドＣＱＩ３０１データフィールドのビット数は４であり、サブバンド差分ＣＱＩ３０４のビット数は２である。単独で伝送されるＲＩ値が１よりも大きいと、ワイドバンドＣＱＩ３０１データフィールドのビット数は８であり、サブバンド差分ＣＱＩ３０４のビット数は４である。
【００６０】
（２）部分干渉仮説におけるワイドバンド及びサブバンドＣＱＩの組合せ３０６：このデータフィールドの数は上位層の構成の測定する必要がある干渉仮説の総数Ｍによって決定され、同様に、各データフィールドはワイドバンドＣＱＩ３０１とＮ個のサブバンド差分ＣＱＩ３０４とにより構成される。部分干渉仮説におけるワイドバンド及びサブバンドＣＱＩの各組合せデータフィールド組合せ３０６と、完全干渉仮説におけるワイドバンド及びサブバンドＣＱＩの組合せ３０５とは、ビット数が完全に同じである。
【００６１】
（３）ワイドバンドＰＭＩ３０７：このデータフィールドの数は１であり、各データフィールドのビット数はＴＰのアンテナ数と単独で伝送されるＲＩ値とに基づいて決定され、その方法は現行の標準規格と同じである。
【００６２】
図３（ｃ）に示すように、本発明の実施形態では、新たに設けられるＰＵＳＣＨによる非周期的フィードバック情報モデルフォーマット３−０−２を導入しており、そのフィードバックデータは、次のデータフィールド（１）〜（２）により構成される。
【００６３】
（１）ワイドバンドＣＱＩ３０１。このデータフィールドのビット数は、単独で伝送されるＲＩ値によって決定される。単独で伝送されるＲＩ値が１であると、このデータフィールドのビット数は４であり、単独で伝送されるＲＩ値が１より大きいと、このデータフィールドのビット数は８である。
【００６４】
（２）サブバンド差分ＣＱＩ３０４。このデータフィールドの数は周波数サブバンドの数によって決定され、周波数サブバンドの数Ｎはシステムの下りの総帯域幅によって決定される。このデータフィールドのビット数は、単独で伝送されるＲＩ値によって決定される。単独で伝送されるＲＩ値が１であると、このデータフィールドのビット数は２である。単独で伝送されるＲＩ値が１より大きいと、このデータフィールドのビット数は４である。
【００６５】
本発明の実施形態では、非周期的フィードバック情報モデルフォーマット３−０−２は、アグリゲート型ＣＱＩフィードバック専用に設計されており、計算する場合には、ＣｏＭＰ測定集合内の全てのＴＰがＪＴ方式を用いると仮定して、各ＴＰのＣＳＩに含まれるＰＭＩを利用して、ＵＥに伝送するデータをプリコーディングする。それ自体はいずれのＴＰにも従属しておらず、上位層シグナリングにより作動するか否かを設定する必要がある。作動する場合には、表２に示すように、このフィードバック情報モデルフォーマットに対応する全てのデータビットが各ＴＰのＣＳＩデータビットの後ろに繋げられる。
【００６６】
【表２】
2015516120.tif 000004
【００６７】
図２及び図１に示すように、ＰＵＳＣＨによる非周期的フィードバック情報から分離された各情報は、ＣｏＭＰ方式選択・スケジューリングモジュール１１５へ送られてＣｏＭＰ方式が選択される（ステップ２０２）。そして、分離された各情報は、負荷状態情報記憶テーブル１１３と、チャネル状態情報記憶テーブル１１４とに送られて、その後のプロセスによる照会のために記憶される。
【００６８】
以下、図４を参照しながら、チャネル状態情報記憶テーブルを説明する。
【００６９】
負荷状態情報記憶テーブル１１３には、非周期的フィードバック情報から抽出された各端末の負荷状態を示す負荷状態情報が保存されており、この負荷状態情報には、少なくとも端末サービスモデルインジケータと、ＣｏＭＰ方式切換インジケータとが含まれる。
【００７０】
図４は、負荷状態情報記憶テーブル１１３の一例を示す。図４に示すように、負荷状態情報記憶テーブル１１３は、各セルにおける各ＵＥのサービス状況を記録するのに用いられ、例えば、ＴＰ番号４０１と、所属ＵＥ番号４０２と、ＵＥアイドルインジケータ４０３と、ＵＥサービスモデルインジケータ４０４と、ＣｏＭＰ方式切換インジケータ４０５とを含む。
【００７１】
ＴＰ番号４０１は、基地局が制御する各ＴＰの番号を示すのに用いられる。
【００７２】
所属ＵＥ番号４０２は、各ＴＰの属するＵＥを示すのに用いられる。
【００７３】
ＵＥアイドルインジケータ４０３は、このＵＥに現在下りデータ伝送需要があるか否かを示すのに用いられる。
【００７４】
ＵＥサービスモデルインジケータ４０４は、このＵＥが現在使用中のデータ伝送方式、すなわちＣｏＭＰ方式を示すのに用いられる。ＵＥがセルの中央に位置する場合には、シングルセルサービスモデルで動作する確率が高い。ＵＥがセルエッジに位置する場合には、ＣｏＭＰの三つのサービスモデル、すなわちＣＳ／ＣＢ、ＤＰＳ／ＤＰＢ、又はＪＴで動作する確率が高い。
【００７５】
ＣｏＭＰ方式切換インジケータ４０５は、現在このＵＥからのＰＵＳＣＨを受信しているか否かに基づいて、このＵＥにＣｏＭＰ方式切換需要があるか否かを判定する。このＣｏＭＰ方式切換インジケータ４０５が「ＹＥＳ」であると、続いてこのＵＥがスケジューリングされた場合に、ＣｏＭＰ方式選択・スケジューリングモジュール１１５はこのＵＥにＣｏＭＰ方式選択を改めて行う。このＣｏＭＰ方式切換インジケータ４０５が「ＮＯ」であると、続いてこのＵＥがスケジューリングされた場合に、ＣｏＭＰ方式選択・スケジューリングモジュール１１５はこのＵＥにＣｏＭＰ方式選択を改めて行わない。
【００７６】
本発明の実施形態では、一つのＵＥがＣｏＭＰ方式切換プロセスを実行した後に、その対応するＣｏＭＰ方式切換インジケータ４０５は、「ＹＥＳ」から「ＮＯ」に更新される。一つのＵＥがＣｏＭＰ方式選択プロセスを実施された後に、その対応するＵＥサービスモデルインジケータ４０４は、更新される。
【００７７】
以下、図５を参照しながら、チャネル状態情報記憶テーブルを説明する。
【００７８】
チャネル状態情報記憶テーブル１１４には、非周期的フィードバック情報及び周期的フィードバック情報から抽出された各端末のチャネル状態を示すチャネル状態情報ＣＳＩが保存されており、このチャネル状態情報ＣＳＩには少なくとも、ランク情報ＲＩと、チャネル品質インジケータＣＱＩと、プリコーディング行列インジケータＰＭＩとが含まれる。
【００７９】
図５は、チャネル状態情報記憶テーブル１１４の一例を示す。図５に示すように、チャネル状態情報記憶テーブル１１４は、各ＵＥがフィードバックした、各ＴＰに対するサブバンドＣＱＩ及びＰＭＩ情報、又はアグリゲート型サブバンドＣＱＩ及びＰＭＩ情報を記録するのに用いられ、例えば、ＵＥ番号５０１と、ＴＰ番号５０２と、ＴＰに対応するＲＩ情報５０３と、ＴＰに対応するサブバンド情報５０４とを含む。なお、サブバンド情報５０４を含む。
【００８０】
ＵＥ番号５０１は、基地局が制御する各ＵＥの番号を指示するのに用いられる。
【００８１】
ＴＰ番号５０２は、各ＵＥの各フィードバック情報に対応するＴＰ番号である。ＣｏＭＰサービスに対応するＵＥは、そのＴＰ番号５０２は「アグリゲーテッド」フィードバックを含む。
【００８２】
ＲＩフィールド５０３は、各ＴＰ又はアグリゲーテッドフィールドのワイドバンドＲＩ値を記録するのに用いられる。
【００８３】
サブバンド情報５０４は、各ＴＰ又はアグリゲーテッドフィールドに対応しており、特定のサブバンドのＣＱＩ情報５０５又はＰＭＩ情報５０６を記録する。
【００８４】
本発明の実施形態では、ＵＥからのＰＵＳＣＨによる非周期的フィードバック情報を含むデータ等を基地局が受信した後に、ＰＵＳＣＨ情報収集モジュール１１０を通じてＵＥからのデータから非周期的フィードバック情報を抽出し、非周期的フィードバック情報に含まれる情報に基づいて、チャネル状態情報記憶テーブル１１４における対応するデータフィールドを更新する。上位層シグナリング構成がアグリゲーテッドＣＱＩ伝送を許容しない場合には、チャネル状態情報記憶テーブル１１４におけるＵＥに対応するアグリゲーテッドＣＱＩデータフィールドをクリアにする。
【００８５】
本発明の実施形態では、ＵＥからのＰＵＣＣＨによる周期的フィードバック情報を含むデータ等を基地局が受信した後に、ＰＵＣＣＨ情報収集モジュール１１１を通じてこれらのデータから周期的フィードバック情報を抽出し、周期的フィードバック情報に含まれる情報に基づいて、チャネル状態情報記憶テーブル１１４における対応するデータフィールドを更新する。
【００８６】
以下、図６を参照しながら、本発明の実施形態の基地局の、ＣｏＭＰ方式選択・スケジューリングモジュール１１５によるＣｏＭＰ方式選択及びスケジューリングの一例を説明する。ただし、本発明はこれに限定されるものではなく、これに対して種々の変更を行うことができる。例えば、ステップＳ６０２とステップＳ６０３の順序を変更してもよい。
【００８７】
図６は、ＣｏＭＰ方式選択・スケジューリングモジュール１１５のＣｏＭＰ選択及びスケジューリングを模式的に示すフローチャートである。図６に示すように、ＣｏＭＰ方式選択・スケジューリングモジュール１１５は、まず、必要な情報収集を収集して（ステップＳ６０１）、ＰＵＳＣＨ情報抽出モジュール１１０において受信した特定のＵＥの非周期的フィードバック情報と、負荷状態情報記憶テーブル１１３及びチャネル状態情報記憶テーブル１１４に記憶された各所属ＵＥの負荷状況情報及びチャネル状態情報とから、必要な情報を収集することができる。
【００８８】
次に、ＣｏＭＰ方式選択・スケジューリングモジュール１１５は、各ＵＥがＤＰＳ／ＤＰＢ方式を選択した場合の重み付けスケジューリングパラメータを計算する（ステップＳ６０２）とともに、各ＵＥがＪＴ方式を選択した場合の重み付けスケジューリングパラメータを計算する（ステップＳ６０３）。その後、ＣｏＭＰ方式選択・スケジューリングモジュール１１５は、取得した必要な情報に基づいて、全ての可能なスケジューリング方式を取得し、ＣｏＭＰ方式の候補とし、このうちのスケジューリング方式を一つ選択して、その後の計算をする（ステップＳ６０４）。
【００８９】
次に、選択された可能なスケジューリング方式について、ＣｏＭＰ方式選択・スケジューリングモジュール１１５は、ＵＥ選択ＣＳ／ＣＢ方式がこの中にあるか否かを判定する（ステップＳ６０５）。選択されたスケジューリング方式としてＣＳ／ＣＢ方式を選択したＵＥがある場合（ステップＳ６０５において「ＹＥＳ」と判定された）、ＣｏＭＰ方式選択・スケジューリングモジュール１１５は、ＣＳ／ＣＢ方式を選択してスケジューリングされる各ＵＥの重み付けスケジューリングパラメータを計算する（ステップ６０６）。次に、ＣｏＭＰ方式選択・スケジューリングモジュール１１５は、このスケジューリング方式に対応してスケジューリングされるＵＥの全ての重み付けスケジューリングパラメータの和Ｉを計算して取得し、これを一旦記憶する（ステップＳ６０７）。選択されたスケジューリング方式にＵＥ選択ＣＳ／ＣＢ方式がない（ステップＳ６０５において「いいえ」と判定された）場合には、ステップＳ６０７に移行する。
【００９０】
次に、ＣｏＭＰ方式選択・スケジューリングモジュール１１５は、全ての可能なスケジューリング方式の処理が完了しているか否かを判定する（ステップＳ６０８）。ＣｏＭＰ方式選択・スケジューリングモジュール１１５が、可能なスケジューリング方式の処理が完了していないと判定した（ステップＳ６０８において「ＮＯ」と判定した）場合は、ステップＳ６０４に戻り、その他の可能なスケジューリング方式について計算をする。ＣｏＭＰ方式選択・スケジューリングモジュール１１５が、可能なスケジューリング方式の処理が完了していると判定した（ステップＳ６０８において「ＹＥＳ」と判定した）場合、各スケジューリング方式で生成するＩ値を比較し、最大のＩ値に対応するスケジューリング方式を最終的なスケジューリング方式として選択する（ステップ６０９）。このスケジューリング方式では、スケジューリングされ、ＣｏＭＰの選択が必要なＵＥが、ＣＳ／ＣＢ、ＤＰＳ／ＤＰＢ及びＪＴのうちの一つを選択する。ＣｏＭＰ方式を選択をしたＵＥについては、プロセス終了後に、負荷状態情報記憶テーブル１１３におけるＵＥサービスモデルインジケータ４０４及びＣｏＭＰ方式切換インジケータ４０５のデータフィールドを更新する必要がある。
【００９１】
本発明の実施形態において、「スケジューリング方式」とは、スケジューリングされるＵＥが、それぞれのＣｏＭＰ方式の集合を個別に選択することである。例えば、二つのＵＥがスケジューリングされる場合、選択可能なスケジューリング方式は次の表に示すように合計九つ含まれている。スケジューリングされるＵＥのＣｏＭＰ方式選択は、負荷状態情報記憶テーブル１１３におけるＣｏＭＰ方式切換インジケータ４０５のデータフィールドにより決定される。
【００９２】
【表３】
2015516120.tif 000005
【００９３】
本発明の実施形態では、スケジューリングされるＵＥの選択は、現行の方法でよい。例えば、ＣｏＭＰ方式選択・スケジューリングモジュール１１５は、各ＵＥの所属ＴＰのチャネル状態情報に基づいて、対応する重み付けスケジューリングパラメータを計算し、スケジューリングされるＵＥを降順に選択することができる。また、例えば、ＣｏＭＰ方式選択・スケジューリングモジュール１１５は、交替スケジューリング方法に基づいて、交替するスケジューリング状況に合わせてスケジューリングされるＵＥを選択することができる。
【００９４】
図２に示すように、本発明の実施形態では、ＣｏＭＰ方式選択をしたＵＥについて、基地局は、選択されたＣｏＭＰ方式と、このＣｏＭＰ方式に基づいて行われる周期的フィードバックの構成とを、上位層シグナリングを通じてＵＥに知らせる。その上で、基地局は、チャネル状態情報記憶テーブル１１４に記憶されたチャネル状態情報に基づいて、負荷状態情報記憶テーブル１１３に保存されたＵＥサービスモデルインジケータ４０４に従って、スケジューリングされるＵＥに下りデータを伝送する（ステップＳ２０３）。
【００９５】
本発明の実施形態では、ＵＥがＪＴ型ＣｏＭＰ方式で動作する場合、チャネル状態情報記憶テーブル１１４におけるこのＵＥの各ＴＰのＰＭＩ領域におけるＰＭＩを用いてプリコーディングをする。ＵＥがＪＴ型ＣｏＭＰ方式で動作する場合、スケジューリングに必要なＣＱＩは、チャネル状態情報記憶テーブル１１４におけるこのＵＥのアグリゲーテッドＣＱＩデータフィールドにおけるアグリゲーテッドＣＱＩを用いることが好ましい。このＵＥのアグリゲーテッドＣＱＩデータフィールドが空である場合、スケジューリングに必要なアグリゲーテッドＣＱＩ情報は、ＵＥの各ＴＰのＣＱＩフィールドのＣＱＩ情報に基づいて基地局が近似的に生成する。
【００９６】
本発明の実施形態では、ＵＥがＤＰＳ／ＤＰＢ型ＣｏＭＰ方式で動作する場合には、基地局のスケジューリングに必要なＣＱＩは、最終的なスケジューリング方式に基づいて、チャネル状態情報記憶テーブル１１４におけるＴＰに対応するＣＱＩフィールドに記憶された干渉状況のそれぞれに対応した複数のＣＱＩから、スケジューリング方式に適した一つを選択する。
【００９７】
図２及び図１に示すように、本発明の実施形態では、基地局は、下りデータ伝送プロセスにおいて、ＰＵＣＣＨが運ぶ周期的フィードバック情報を含むＵＥからのデータを受信する（ステップＳ２０４）。基地局は、ＵＥが伝送するＰＵＣＣＨを受信すると、ＲＦ処理をした後に所属基地局へ送る。基地局は、ベースバンドデータに復調及び復号化処理をした後に、データ・制御信号処理１０７へ送り、データを分離し、周期的フィードバック情報を含むデータをＰＵＣＣＨ情報抽出モジュール１１１へ送る。ＰＵＣＣＨ情報抽出モジュール１１１は、まず、上位層シグナリング構成に基づいて、予め決められたフィードバック周期的及びオフセットに従って、このフィードバックがアグリゲーテッドＣＳＩであるか否かを判定し、フィードバックがアグリゲーテッドＣＳＩでない場合、このフィードバックの対応するＴＰを判定する。その後、ＰＵＣＣＨ情報抽出モジュール１１１は、上位層シグナリング構成に基づいて、予め決められた周期的フィードバック情報モデルフォーマットのフォーマットに従って、ＰＵＣＣＨが運ぶ非周期的フィードバック情報を抽出する。ＵＥがＪＴ型ＣｏＭＰ方式で動作するように設定され、かつ、アグリゲーテッドＣＳＩフィードバックを用いると仮定すると、その適用されるＣｏＭＰ方式の周期的フィードバック情報モデルフォーマットは、図７に示すとおりである。以下、そのデータフィールド構成を詳細に説明する。
【００９８】
以下、図７を参照しながら、新たに導入されるＰＵＣＣＨによる周期的フィードバック情報モデルフォーマットに基づくデータフィールド構成を詳細に説明する。ただし、これらは例示にすぎず、本発明はこれに限定されるものではない。図７に示す非周期的フィードバック情報は一部の情報であり、その他の情報は従来技術と同じであるので省略する。
【００９９】
本発明の実施形態では、図７（ａ）に示すように、ＰＵＣＣＨによる周期的フィードバック情報モデルフォーマット２−２を導入しており、そのフィードバックデータは次のデータフィールド（１）〜（３）により構成される。
【０１００】
（１）サブバンドアグリゲート型ＣＱＩ７０１：このデータフィールドのビット数は４である。
【０１０１】
（２）サブバンドアグリゲート型ＰＭＩ７０２：このデータフィールドのビット数はアグリゲートするＴＰアンテナ数と単独で伝送されるＲＩ値とに基づいて決定され、その方法はアグリゲートするＴＰアンテナ数に基づいてコードブックを適宜選択し、このコードブックと単独で伝送されるＲＩ値とに基づいて、マッチングするビット数を生成する。
【０１０２】
（３）サブバンドインジケータ７０３：このデータフィールドは、フィードバックするサブバンドアグリゲート型ＣＱＩ及びＰＭＩに対する具体的なサブバンドの周波数領域における位置を示すのに用いられる。
【０１０３】
本発明の実施形態では、図３（ｂ）に示すように、ＰＵＣＣＨによる周期的フィードバック情報モデルフォーマット２−２のフィードバックデータは、次のデータフィールド（１）〜（３）によって構成してもよい。
【０１０４】
（１）多層サブバンドアグリゲート型ＣＱＩ７０４：このデータフィールドのビット数は、単独で伝送されるＲＩ値によって決定する。単独で伝送されるＲＩ値が１であると、このデータフィールドのビット数は４であり、単独で伝送されるＲＩ値が１より大きいと、このデータフィールドのビット数は７である。すなわち、符号語０に対する一つの４ビットＣＱＩと、符号語１に対する一つの差分型ＣＱＩとが含まれる。差分型ＣＱＩの生成方法は、現行の標準規格と同じである。
【０１０５】
（２）サブバンドアグリゲート型ＰＭＩ７０２：このデータフィールドのアグリゲート型ＰＭＩは、フィードバックに含まれる二つのサブバンドのみで下りデータ伝送が行われることを前提とした上で選択される。このデータフィールドのビット数はアグリゲートするＴＰのアンテナ数と単独で伝送されるＲＩ値とに基づいて決定され、その方法はアグリゲートするＴＰのアンテナ数に基づいてコードブックを適宜選択し、このコードブックと単独で伝送されるＲＩ値とに基づいて、マッチングするビット数を生成する。
【０１０６】
（３）サブバンドインジケータ７０３：このデータフィールドは、フィードバックするサブバンドアグリゲート型ＣＱＩ及びＰＭＩに対する具体的なサブバンド１の周波数領域における位置を示すのに用いられ、その方法は現行の標準規格と同じである。
【０１０７】
本発明の実施形態では、周期的フィードバック情報モデルフォーマット２−２は、アグリゲート型ＣＱＩフィードバック用に設計されており、計算する場合には、ＣｏＭＰ方式測定集合内の全てのＴＰがＪＴ方式を用いると仮定して、集められたＴＰのアンテナ数の和に適合するコードブックから選択されたＰＭＩを利用してプリコーディングをしてＵＥにデータを伝送する。周期的フィードバック情報モデルフォーマット２−２の設計は、アグリゲート型ＣＳＩフィードバックにより、ＪＴ方式に、より高い性能を提供し、より少ないフィードバック量を求めることができる。ＪＴ型ＣｏＭＰについては、データを伝送する際にアグリゲート型ＣＳＩを利用すると、より効果的な信号合成をすることができ、ネットワーク性能を更に向上させることができる。
【０１０８】
本発明の実施形態では、ＪＴ型ＣｏＭＰ方式に単層伝送しか用いることができないように限定する場合には、ＰＵＣＣＨフィードバック情報モデルフォーマット２−２のフィードバックデータフォーマット例示１を用いてフィードバック情報伝送をすべきである。このとき、ＰＵＣＣＨフォーマット２を改めて定義し、新しいＰＵＣＣＨのレポートの種類を定義して、同時に存在するサブバンドＣＱＩ及びサブバンドＰＭＩのフィードバックに対応するようにする必要がある。
【０１０９】
本発明の実施形態では、ＪＴ型ＣｏＭＰ方式に一つのレイヤによる伝送しか用いるように限定しない場合、ＰＵＣＣＨフィードバック情報モデルフォーマット２−２のフィードバックデータフォーマット例示２を用いてフィードバック情報を伝送すべきである。このとき、ＰＵＣＣＨフォーマット３を再定義して、既存の機能に基づいて、ＣＳＩフィードバック情報に対する伝送をサポートし、新しいＰＵＣＣＨのレポートの種類を定義して、同時に存在するサブバンドＣＱＩ及びサブバンドＰＭＩのフィードバックに対応するようにする必要がある。ＰＵＣＣＨフィードバック情報モデルフォーマット２−２のフィードバック情報フォーマット例示２では、サブバンドインジケータが周波数領域におけるサブバンド１の位置を示しており、サブバンド２はサブバンド１の隣接サブバンドとする。サブバンド１とサブバンド２とは、周波数領域において周波数の低い方から高い方へ順に配列される。
【０１１０】
本発明の実施形態では、基地局がＵＥのＰＵＣＣＨによるフィードバック情報モデルフォーマット２−２のフィードバック情報を受信すると、チャネル状態情報記憶テーブル１１４におけるＵＥに対応するアグリゲート型サブバンドＣＱＩ及びＰＭＩフィールドを更新する必要がある。
【０１１１】
本発明の実施形態では、ＪＴ型ＣｏＭＰに対応する周期的フィードバックには、現行のフィードバック情報モデルフォーマットを用いてもよい。すなわち、ＣｏＭＰ測定集合に関与する各ＴＰに、現行のフィードバック情報モデルフォーマットのフォーマットに従って、このＴＰに対応するＣＳＩをフィードバックする。このとき、チャネル状態情報記憶テーブル１１４におけるこのＵＥのＴＰに対応するＰＭＩ及びＣＱＩフィールドを更新し、このＵＥのアグリゲート型ＣＱＩ及びＰＭＩデータフィールドに記憶されるデータを削除する必要がある。周期的フィードバックにアグリゲート型ＣＳＩフィードバックを用いるか否かは、完全に、基地局が上位層シグナリングを通じて周期的フィードバックするフィードバック情報モデルフォーマット構成によって決定する。
【０１１２】
本発明の実施形態では、ＣＳ／ＣＢ型ＣｏＭＰ及びＤＰＳ／ＤＰＢ型ＣｏＭＰに対応する周期的フィードバックには、現行のフィードバック情報モデルフォーマットを用いる。すなわち、ＣｏＭＰ測定集合に関与する各ＴＰに、現行のフィードバック情報モデルフォーマットのフォーマットに従って、このＴＰに対応するＣＳＩをフィードバックする。このとき、チャネル状態情報記憶テーブル１１４におけるこのＵＥのＴＰに対応するＰＭＩ及びＣＱＩフィールドを更新する必要がある。
【０１１３】
本発明の実施形態では、図２に示すように、基地局は、受信するＰＵＣＣＨ毎に、チャネル状態情報記憶テーブル１１４において、基地局がＵＥに送信するチャネル状態情報を更新する必要がある。更新が完了した上で、基地局は、チャネル状態情報記憶テーブル１１４に記憶されたチャネル状態情報に基づいて、負荷状態情報記憶テーブル１１３に保存されたＵＥサービスモデルインジケータ４０４に示されるＣｏＭＰ方式に従って、スケジューリングされるＵＥに下りデータを伝送する（ステップＳ２０５）。
【０１１４】
発明の実施形態では、ＵＥがＪＴ型ＣｏＭＰ方式で動作する場合には、そのプリコーディングは、チャネル状態情報記憶テーブル１１４におけるこのＵＥのアグリゲート型ＰＭＩデータフィールドにおけるアグリゲート型ＰＭＩを用いることが好ましい。このＵＥのアグリゲート型ＰＭＩデータフィールドが空である場合には、このＵＥの各ＴＰのＰＭＩフィールドにおけるＰＭＩを用いてプリコーディングをする。ＵＥがＪＴ型ＣｏＭＰ方式で動作する場合には、スケジューリングに必要なＣＱＩは、チャネル状態情報記憶テーブル１１４におけるこのＵＥのアグリゲート型ＣＱＩデータフィールドにおけるアグリゲート型ＣＱＩを用いることが好ましい。このＵＥのアグリゲート型ＣＱＩデータフィールドが空欄である場合には、スケジューリングに必要なアグリゲート型ＣＱＩ情報は、ＵＥの各ＴＰのＣＱＩ領域のＣＱＩ情報に基づいて基地局が近似的に生成する。なお、「アグリゲート型ＣＱＩ」とは、複数のＴＰが一つのＵＥに同時にデータを伝送するＣＱＩという。「アグリゲート型ＰＭＩ」とは、複数のＴＰが一つのＵＥに同時にデータを伝送する際のＰＭＩをいう。
【０１１５】
＜中央制御サーバ＞
図８を参照しながら、本発明の実施形態の中央制御サーバを説明する。システムに中央制御サーバを追加することによって、基地局を跨いだＣｏＭＰ方式選択及び協調伝送の機能を実行することができる。
【０１１６】
図８は、複数のＣｏＭＰ方式の使用及び選択をサポートする中央制御サーバを模式的に示すシステムブロック図である。図８に示すように、単独で設けられた中央制御サーバ８０１を通じて、二つの基地局８０３、８０４（以下、それぞれ「ＢＳ１」及び「ＢＳ２」と表記する）にＣｏＭＰ方式選択及び協調伝送を実行させる。図１に示すものと同じ構成については同じ符号を付し、その詳細な説明を省略する。
【０１１７】
図８に示すように、基地局は、１又は複数のＴＰを有して、無線周波数帯域の処理及び送受信機能を実行する。各基地局は、上り信号を受信した後に、いずれも単独で、ベースバンド処理、信号データ分離等の機能を実行し、得られた具体的なチャネル状態情報を用いて基地局内のチャネル状態情報記憶テーブル１１４と負荷状態情報記憶テーブル１１３とを更新する。
【０１１８】
中央制御サーバ８０１は、制御する各基地局の記憶テーブル中からデータを読み取り、それらを自身の記憶領域内のチャネル状態情報記憶テーブル１１４と負荷状態情報記憶テーブル１１３とに記憶し、読み取った情報に基づいて、ＣｏＭＰ方式選択・スケジューリングモジュール１１５により各基地局における各ＵＥにＣｏＭＰ方式を適宜選択して、無線リソースを適宜割り当てる。
【０１１９】
下り制御信号生成モジュール１０８と、下りデータ生成モジュール１０９とは、ＣｏＭＰ方式選択・スケジューリングモジュール１１５の結果に基づいて、それぞれ下りシグナリングとデータとを生成し、基地局間インタフェース８０２を通じてＣｏＭＰ伝送をする協調基地局と共有して、下りベースバンド及びＲＦ処理をした後に、スケジューリングされるＵＥに下りデータを伝送する。
【０１２０】
本発明の実施形態では、中央制御サーバの方法を導入することによって基地局を跨いだＣｏＭＰ方式選択及び伝送をする場合には、ＴＰ番号４０１のデータフィールドは、改めて配列された、同一の中央制御サーバにより制御される基地局における全てのＴＰのＴＰ番号を記憶するのに用いてもよい。
【産業上の利用可能性】
【０１２１】
本発明は、無線通信設備である基地局による端末へのデータ伝送方法、基地局装置、及び中央制御サーバに適用され、特に、複数の協調マルチポイント方式から協調マルチポイント方式を適宜選択して下りデータ伝送をすることができる基地局による端末へのデータ伝送方法、基地局装置、及び中央制御サーバに適用される。
【符号の説明】
【０１２２】
１００  基地局
１０１  受信アンテナ
１０２  送信アンテナ
１０３  ＲＦ信号処理モジュール
１０４  信号復調・復号化モジュール
１０５  符号化・変調モジュール
１０６  プリコーディングモジュール
１０７  データ・制御信号処理モジュール
１０８  下り制御信号生成モジュール
１０９  下りデータ生成モジュール
１１０  ＰＵＳＣＨ情報抽出モジュール
１１１  ＰＵＣＣＨ情報抽出モジュール
１１２  データ抽出モジュール
１１３  負荷状態情報記憶テーブル
１１４  チャネル状態情報記憶テーブル
１１５  ＣｏＭＰ方式選択・スケジューリングモジュール
１１６  システムインタフェース
３０１  完全干渉仮説におけるワイドバンドＣＱＩ
３０２  部分干渉仮説におけるワイドバンド差分ＣＱＩ
３０３  サブバンドＰＭＩ
３０４  サブバンド差分ＣＱＩ
３０５  完全干渉仮説におけるワイドバンド及びサブバンドＣＱＩの組合せ
３０６  部分干渉仮説におけるワイドバンド及びサブバンドＣＱＩの組合せ
３０７  ワイドバンドＰＭＩ
４０１  ＴＰ番号
４０２  所属ＵＥ番号
４０３  ＵＥアイドルインジケータ
４０４  ＵＥサービスモデルインジケータ
４０５  ＣｏＭＰ方式切換インジケータ
５０１  ＵＥ番号
５０２  ＴＰ番号
５０３  対応するＴＰのＲＩ情報
５０４  対応するＴＰのサブバンド情報
５０５  ＣＱＩ情報
５０６  ＰＭＩ情報
７０１  サブバンドアグリゲート型ＣＱＩ
７０２  サブバンドアグリゲート型ＰＭＩ
７０３  サブバンドインジケータ
７０４  多層サブバンドアグリゲート型ＣＱＩ
８０１  中央制御サーバ
８０２  基地局間インタフェース
８０３  基地局
８０４  基地局
９０１  転送ポイント
９０２  転送ポイント
９０３  ユーザ端末
９０４  ユーザ端末
９０５  基地局
９０６  光ファイバー
９１１  ＴＰ１−ＵＥ１リンク
９１２  ＴＰ２−ＵＥ２リンク
９１３  ＴＰ２−ＵＥ１干渉リンク
１１０３  ユーザ端末
１１０１  ＴＰ２−ＵＥ１リンク
【図１】
2015516120.tif 000006
【図２】
2015516120.tif 000007
【図３】
2015516120.tif 000008
【図４】
2015516120.tif 000009
【図５】
2015516120.tif 000010
【図６】
2015516120.tif 000011
【図７】
2015516120.tif 000012
【図８】
2015516120.tif 000013
【図９】
2015516120.tif 000014
【図１０】
2015516120.tif 000015
【図１１】
2015516120.tif 000016
【図１２】
2015516120.tif 000017
【手続補正書】
【提出日】平成26年11月4日(2014.11.4)
【手続補正１】
【補正対象書類名】図面
【補正対象項目名】図８
【補正方法】変更
【補正の内容】
【図８】
2015516120.tif 000018
【国際調査報告】
2015516120.tif 000019
2015516120.tif 000020
2015516120.tif 000021
2015516120.tif 000022